(57)【要約】【課題】本発明の課題は、信頼性の高い本人認証ができるシステムを提供することである。【解決手段】利用端末装置のＩＣカード認証情報要求を受け付けて、ＩＣカード認証情報を返信すして送信完了通知を携帯端末装置に送信するＩＣカードと、ＩＣカードが送信した送信完了通知と利用端末装置の携帯認証情報要求とを受け付けて前記携帯認証情報を利用端末装置に返信する携帯端末装置と、ＩＣカードが送信したＩＣカード認証情報と携帯端末装置が送信した携帯認証情報とを認証サーバ装置に送信して返信された認証結果を受信する利用端末装置と、利用端末装置が送信した前記ＩＣカード認証情報と前記携帯認証情報とを受信して記憶するサーバ認証情報を用いて認証して前記認証結果を返信する認証サーバ装置とを備えることを特徴とする本人認証システムである。【選択図】図１
2008244948.tif 000002
【特許請求の範囲】
【請求項１】
携帯端末装置とＩＣカードと利用端末装置と認証サーバ装置が通信接続されて構成される本人認証システムにおいて、
前記ＩＣカードは、
ＩＣカード認証情報を記憶する記憶手段と、
前記利用端末装置から、ＩＣカード認証情報要求を受け付けて、ＩＣカード認証情報を返信する認証情報返信手段と、
送信完了通知を前記携帯端末装置に送信する完了通知送信手段と、
を備えるＩＣカードであって、
前記携帯端末装置は、
携帯認証情報を記憶する記憶手段と、
ＩＣカードが送信した前記送信完了通知を受信する完了通知受信手段と、
前記利用端末装置から、携帯認証情報要求を受信する携帯認証情報要求受信手段と、
前記送信完了通知と前記携帯認証情報要求を受け付けて、前記携帯認証情報を前記利用端末装置に返信する認証情報返信手段と、
を備える端末装置であって、
前記利用端末装置は、
前記ＩＣカードに前記ＩＣカード認証情報を要求するＩＣカード認証情報要求手段と、
前記ＩＣカードが返信した前記ＩＣカード認証情報を受信するＩＣカード認証情報受信手段と、
前記携帯端末装置に前記携帯認証情報を要求する携帯認証情報要求手段と、
前記携帯端末装置から前記携帯認証情報を受信する携帯認証情報受信手段と、
前記受信した前記ＩＣカード認証情報と前記携帯認証情報とを前記認証サーバ装置に送信する認証情報送信手段と、
前記認証サーバ装置が送信した認証結果を受信する認証結果受信手段と、
を備える端末装置であって、
前記認証サーバ装置は、
サーバ認証情報を記憶する記憶手段と、
前記利用端末装置が送信した前記ＩＣカード認証情報と前記携帯認証情報とを受信して、前記サーバ認証情報を参照して、認証する認証手段と、
前記認証結果を前記利用端末装置に送信する認証結果送信手段と、
を備えるサーバ装置である、
ことを特徴とする本人認証システム。
【請求項２】
前記携帯端末装置は、
前記携帯認証情報を用いて、二次元コード画像を作成して表示する二次元コード表示手段を、
を備える端末装置であって、
前記利用端末装置は、
メモリと、
前記携帯端末装置が表示する二次元コードを読み取り、メモリに保持するデジタルカメラと、
メモリに保持された前記二次元コード画像を読み取って、前記携帯認証情報を復号する二次元コード復号手段と、
を備える端末装置である、
ことを特徴とする請求項１に記載の本人認証システム。
【請求項３】
携帯端末装置とＩＣカードと利用端末装置と認証サーバ装置が通信接続されて構成される本人認証システムにおいて、
前記ＩＣカードは、
ＩＣカード認証情報を記憶する記憶手段と、
前記利用端末装置から、ＩＣカード認証情報要求を受け付けて、前記ＩＣカード認証情報を返信する認証情報返信手段と、
送信完了通知と携帯端末装置の電子メールアドレスを前記利用端末装置に送信する完了通知送信手段と、
を備えるＩＣカードであって、
前記携帯端末装置は、
前記携帯認証情報と前記携帯端末装置の電子メールアドレスを記憶する記憶手段と、
前記送信完了通知を含む電子メールを受信する完了通知受付手段と、
前記利用端末装置が送信した携帯認証情報要求を受信する携帯認証情報要求受信手段と、
前記携帯認証情報要求と前記送信完了通知を受け付けて、前記携帯認証情報を返信する認証情報返信手段と、
を備える端末装置であって、
前記利用端末装置は、
前記ＩＣカードに前記ＩＣカード認証情報を要求するＩＣカード認証情報要求手段と、
前記ＩＣカードが返信した前記ＩＣカード認証情報を受信するＩＣカード認証情報受信手段と、
前記送信完了通知と前記携帯端末装置の電子メールアドレスを受信して、前記送信完了通知を含む電子メールを作成して、前記携帯端末装置の電子メールアドレスに送信する完了通知転送手段と、
前記電子メールアドレスの前記携帯端末装置に前記携帯認証情報を要求する携帯認証情報要求手段と、
前記電子メールアドレスの前記携帯端末装置が返信した前記携帯認証情報を受信する携帯認証情報受信手段と、
前記受信した前記ＩＣカード認証情報と前記携帯認証情報とを前記認証サーバ装置に送信する認証情報送信認証サーバ装置が送信した認証結果を受信する認証結果受信手段と、
を備える端末装置であって、
前記認証サーバ装置は、
サーバ認証情報を記憶する記憶手段と、
前記利用端末装置が送信した前記ＩＣカード認証情報と前記携帯認証情報とを受信して、前記サーバ認証情報を参照して、認証する認証手段と、
認証結果を前記利用端末装置に送信する認証結果送信手段と、
を備えるサーバ装置である、
ことを特徴とする本人認証システム。
【請求項４】
前記携帯端末装置は、
前記携帯認証情報を用いて、二次元コード画像を作成して表示する二次元コード表示手段を、
を備える端末装置であって、
前記利用端末装置は、
メモリと、
携帯端末装置が表示する二次元コードを読み取り、メモリに保持するデジタルカメラと、
メモリに保持された二次元コード画像を読み取って、前記携帯認証情報を復号する二次元コード復号手段と、
を備える端末装置である、
ことを特徴とする請求項３に記載の本人認証システム。
【発明の詳細な説明】
【技術分野】
【０００１】
本発明は、ＩＣカードと通信端末装置（＝携帯電話）を併用して本人認証するシステムに関するものである。
【背景技術】
【０００２】
近年、ＩＣカードを内蔵する携帯電話を用いて、ネットワーク経由で入手した電子マネーや入場券などの電子情報をＩＣカードに記録させて、本人認証して利用している。
たとえば、携帯電話の所有者は、ネットワークオンラインサービスを利用して受け取った電子マネーをＩＣカードに記録させておき、ＩＣカードや携帯電話に記録された認証情報を用いて本人認証して、支払を行っている。
【０００３】
たとえば、特許文献１では、電子商取引において、利用者ＩＤを分割して、ＩＣカードと通信端末装置に分散させて記憶させておき、利用者が電子商取引を実行するときに、分割して記憶させたＩＤを集めて復元変換して、認証を受ける技術が開示されている。
【特許文献１】特開２００２−３５１８４５号公報（段落００２４−００２５、図４）
【発明の開示】
【発明が解決しようとする課題】
【０００４】
ところで、特許文献１の技術では、利用者ＩＤを用いて認証しているが、この利用者ＩＤは秘匿されている情報ではないので、他人が容易に入手して、本人に成り済まして認証を受けることが可能であるという問題点があった。
【０００５】
本発明はこのような点を解決するためになされたものであって、本発明の課題は、信頼性の高い本人認証ができるシステムを提供することである。
【課題を解決するための手段】
【０００６】
本発明は、以下のような解決手段により、前記課題を解決する。すなわち、請求項１の発明は、携帯端末装置（１００）とＩＣカード（３００）と利用端末装置（５００）と認証サーバ装置（７００）が通信接続されて構成される本人認証システムにおいて、前記ＩＣカード（３００）は、ＩＣカード認証情報（３９１）を記憶する記憶手段と、前記利用端末装置（５００）から、ＩＣカード認証情報要求を受け付けて、ＩＣカード認証情報（３９１）を返信する認証情報返信手段と、送信完了通知を前記携帯端末装置（１００）に送信する完了通知送信手段と、を備えるＩＣカードであって、
前記携帯端末装置（１００）は、携帯認証情報（１９５）を記憶する記憶手段と、ＩＣカード（３００）が送信した前記送信完了通知を受信する完了通知受信手段と、前記利用端末装置（５００）から、携帯認証情報要求を受信する携帯認証情報要求受信手段と、前記送信完了通知と前記携帯認証情報要求を受け付けて、前記携帯認証情報（１９５）を前記利用端末装置（５００）に返信する認証情報返信手段と、を備える端末装置であって、前記利用端末装置（５００）は、前記ＩＣカード（３００）に前記ＩＣカード認証情報を要求するＩＣカード認証情報要求手段と、前記ＩＣカード（３００）が返信した前記ＩＣカード認証情報（３９１）を受信するＩＣカード認証情報受信手段と、前記携帯端末装置（１００）に前記携帯認証情報を要求する携帯認証情報要求手段と、前記携帯端末装置（１００）から前記携帯認証情報（１９５）を受信する携帯認証情報受信手段と、前記受信した前記ＩＣカード認証情報（３９１）と前記携帯認証情報（１９５）とを前記認証サーバ装置（７００）に送信する認証情報送信手段と、前記認証サーバ装置（７００）が送信した認証結果を受信する認証結果受信手段と、を備える端末装置であって、前記認証サーバ装置（７００）は、サーバ認証情報（７９７）を記憶する記憶手段と、前記利用端末装置（５００）が送信した前記ＩＣカード認証情報（３９１）と前記携帯認証情報（１９５）とを受信して、前記サーバ認証情報（７９７）を参照して、認証する認証手段と、前記認証結果を前記利用端末装置（５００）に送信する認証結果送信手段と、を備えるサーバ装置である、ことを特徴とする本人認証システムである。
【０００７】
このように、ＩＣカード認証情報（３９１）と携帯認証情報（１９５）の両者が揃うことで、本人認証することができる。
【０００８】
請求項２の発明は、前記携帯端末装置（１００）が、前記携帯認証情報（１９５）を用いて、二次元コード画像を作成して表示する二次元コード表示手段を、を備える端末装置であって、前記利用端末装置（５００）は、メモリと、前記携帯端末装置（１００）が表示する二次元コードを読み取り、メモリに保持するデジタルカメラと、メモリに保持された前記二次元コード画像を読み取って、前記携帯認証情報（１９５）を復号する二次元コード復号手段と、を備える端末装置である、ことを特徴とする請求項１に記載の本人認証システムである。
【０００９】
請求項３の発明は、携帯端末装置（１００）とＩＣカード（３００）と利用端末装置（５００）と認証サーバ装置（７００）が通信接続されて構成される本人認証システムにおいて、前記ＩＣカード（３００）は、
ＩＣカード認証情報（３９１）を記憶する記憶手段と、前記利用端末装置（５００）から、ＩＣカード認証情報要求を受け付けて、前記ＩＣカード認証情報（３９１）を返信する認証情報返信手段と、送信完了通知と携帯端末装置の電子メールアドレスを前記利用端末装置に送信する完了通知送信手段と、を備えるＩＣカードであって、前記携帯端末装置（１００）は、前記携帯認証情報（１９５）と前記携帯端末装置の電子メールアドレスを記憶する記憶手段と、
前記送信完了通知を含む電子メールを受信する完了通知受付手段と、
前記利用端末装置（５００）が送信した携帯認証情報要求を受信する携帯認証情報要求受信手段と、
前記携帯認証情報要求と前記送信完了通知を受け付けて、前記携帯認証情報（１９５）を返信する認証情報返信手段と、
を備える端末装置であって、前記利用端末装置（５００）は、
前記ＩＣカード（３００）に前記ＩＣカード認証情報を要求するＩＣカード認証情報要求手段と、前記ＩＣカード（３００）が返信した前記ＩＣカード認証情報（３９１）を受信するICカード認証情報受信手段と、
前記送信完了通知と前記携帯端末装置の電子メールアドレスを受信して、前記送信完了通知を含む電子メールを作成して、前記携帯端末装置の電子メールアドレスに送信する完了通知転送手段と、
前記電子メールアドレスの前記携帯端末装置（１００）に前記携帯認証情報を要求する携帯認証情報要求手段と、前記電子メールアドレスの前記携帯端末装置（１００）が返信した前記携帯認証情報（１９５）を受信する携帯認証情報受信手段と、前記受信した前記ＩＣカード認証情報（３９１）と前記携帯認証情報（１９５）とを前記認証サーバ装置（７００）に送信する認証情報送信認証サーバ装置（７００）が送信した認証結果を受信する認証結果受信手段と、を備える端末装置であって、
前記認証サーバ装置（７００）は、サーバ認証情報（７９７）を記憶する記憶手段と、前記利用端末装置（５００）が送信した前記ＩＣカード認証情報（３９１）と前記携帯認証情報（１９５）とを受信して、前記サーバ認証情報（７９７）を参照して、認証する認証手段と、認証結果を前記利用端末装置（５００）に送信する認証結果送信手段と、を備えるサーバ装置である、ことを特徴とする本人認証システムである。
【００１０】
請求項４の発明は、前記携帯端末装置（１００）が、前記携帯認証情報（１９５）を用いて、二次元コード画像を作成して表示する二次元コード表示手段を、を備える端末装置であって、前記利用端末装置（５００）は、メモリと、携帯端末装置（１００）が表示する二次元コードを読み取り、メモリに保持するデジタルカメラと、メモリに保持された二次元コード画像を読み取って、前記携帯認証情報（１９５）を復号する二次元コード復号手段と、
を備える端末装置である、ことを特徴とする請求項３に記載の本人認証システムである。
【発明の効果】
【００１１】
本願発明によれば、携帯端末装置とＩＣカードとから認証情報を受け取ることによって、信頼性が高い本人認証をすることが可能である。
【発明を実施するための最良の形態】
【００１２】
以下、図面等を参照しながら、本発明の実施の形態について、更に詳しく説明する。
【００１３】
図１は、本発明によるＩＣカードを有する携帯端末装置を用いる本人認証システムの概要を説明する図である。ＩＣカードを有する携帯端末装置を用いる本人認証システム１は、利用端末装置５００と、ＩＣカード３００を有する携帯端末装置１００（＝携帯電話）と、認証サーバ装置７００とが、通信接続されて構成される。携帯端末装置１００は、ＩＣカードを内蔵する。利用端末装置５００は、ＩＣカード３００と携帯端末装置１００とは、無線接続して、認証サーバ装置７００とは、インターネット６００により接続する。
【００１４】
利用端末装置５００は、非接触型ＩＣカードリーダを備える。
【００１５】
認証サーバ装置７００は、コンピュータプログラムによって制御されるサーバコンピュータである。コンピュータプログラムには、既存の認証サーバプログラムが含まれる。
【００１６】
図２は、本発明による携帯端末装置とＩＣカードを用いる本人認証システム１の大まかな処理の流れを説明する図である。
利用端末装置５００は、ＩＣカード３００にＩＣカード認証情報を要求する（図１（１ａ））。ＩＣカード３００はＩＣカード認証情報要求を受け付けて、ＩＣカード認証情報を返信する(同（１ｂ））。利用端末装置５００は、ＩＣカード３００が送信したＩＣカード認証情報を受信して保持する(同（１ｃ））。
【００１７】
利用端末装置５００は、携帯端末装置１００に携帯認証情報を要求する(同（２ａ））。
携帯端末装置１００は利用端末装置５００が送信した携帯認証情報要求受信して保持する(同（２ｂ））。
【００１８】
ＩＣカード３００は、ICカード認証情報を利用端末に送信の完了をしたことを送信完了通知として携帯端末装置１００に送信する(同（３ａ））。
携帯端末装置１００はＩＣカード３００が送信した送信完了通知を受信して保持する(同（３ｂ））。
【００１９】
携帯端末装置１００は、ＩＣカード３００が送信した送信完了通知と、利用端末装置５００が送信した携帯認証情報１９５を受信して、携帯認証情報を利用端末装置５００、に返信する(同（４ａ））。利用端末装置５００は、帯端末装置３００が返信した携帯認証情報１９５を受信する(同（４ｂ））。
【００２０】
なお、携帯端末装置１００は、携帯認証情報を二次元コードにして、表示させて、利用端末装置５００は、表示された二次元コードを撮影して端末認証情報を復号して受け取ってもよい。
【００２１】
利用端末装置５００は、受信したＩＣカード認証情報と端末認証情報を認証サーバ装置７００に送信する(同（５ａ））。
認証サーバ装置７００は、利用端末装置５００から送信されたＩＣカード認証情報と端末認証情報を受信して、認証情報と照合して認証して、認証結果を返信する(同（５ｂ））。
利用端末装置５００は、認証サーバ装置７００から認証結果を受信する(同（５ｃ））。
【００２２】
図３は、携帯端末装置１００の詳細な構成図である。
前記携帯端末装置１００は、ＣＰＵ１０１と、表示部１０２と、アンテナコイル１０４と、キーボタン１０５と、ＩＣカード端子板１０３と、赤外線ＬＥＤ１０６と、メモリ１０９と、専用プログラムを備える。
【００２３】
表示部１０２は、ＬＣＤやＥＬである。表示部１０２は、二次元コードを表示する。アンテナコイル１０４は、利用端末装置５００と無線接続する。ＩＣカード端子板１０３は、ＩＣカード３００の端子と接触接続する。赤外線ＬＥＤ１０６は、利用端末装置５００に赤外線送信する。メモリ１０９は、半導体メモリや磁気メモリである。メモリ１０９は、携帯認証情報１９５を記憶する。専用プログラムは、完了通知受信手段１３０と、携帯認証情報要求受信手段１１０と、認証情報返信手段１２０と、二次元コード表示手段１４０とから構成される。
【００２４】
完了通知受信手段１３０は、ＩＣカード３００が送信した送信完了通知を受信する。
携帯認証情報要求受信手段１１０は、利用端末装置５００から、携帯認証情報要求を受信する。
認証情報返信手段１２０は、携帯認証情報要求と送信完了通知を受け付けて、携帯認証情報１９５を利用端末装置５００に返信する。二次元コード表示手段１４０は、携帯認証情報１９５を用いて、二次元コード画像を作成して表示部１０２に表示する。
【００２５】
完了通知受信手段１３０と、携帯認証情報要求受信手段１１０と、認証情報返信手段１２０と、二次元コード表示手段１４０とは、コンピュータプログラムである。
【００２６】
なお、二次元コード表示手段１４０は、備えていなくてもよい。
【００２７】
図４は、ＩＣカード３００の詳細な構成図である。
前記ＩＣカード３００は、ＣＰＵ３０１と、アンテナコイル３０４と、ＩＣカード端子３０３と、メモリ３０９と、専用プログラムとを備える。
【００２８】
アンテナコイル３０４は、利用端末装置５００のＩＣカードリーダ５０４（詳細後述）と無線接続する。
ＩＣカード端子３０３は、携帯端末装置１００のＩＣカード端子板１０３と接触接続する。
メモリ３０９は、半導体メモリや磁気メモリである。メモリ３０９は、ＩＣカード認証情報３９１を記憶する。
【００２９】
専用プログラムは、認証情報返信手段３１０と、完了通知送信手段３２０とから構成される。
【００３０】
認証情報返信手段３１０は、利用端末装置５００から、ＩＣカード認証情報要求を受け付けて、ＩＣカード認証情報３９１を返信する。
完了通知送信手段３２０は、送信完了通知を携帯端末装置１００に送信する。
【００３１】
認証情報返信手段３１０と、完了通知送信手段３２０とは、コンピュータプログラムである。
【００３２】
図５は、利用端末装置５００の詳細な構成図である。前記利用端末装置５００は、ＣＰＵ５０１と、デジタルカメラ５０２と、ＩＣカードリーダ５０４と、赤外線センサ５０６と、通信部５０８と、メモリ５０９と、専用プログラムとを備える。
【００３３】
デジタルカメラ５０２は、携帯端末装置１００の表示部１０２が表示する二次元コードを読み取り、メモリ５０９に保持する。
ＩＣカードリーダ５０４は、ＩＣカードのアンテナコイル１０４と無線接続する。
赤外線センサ５０６は、携帯端末装置１００の赤外線ＬＥＤ３０６からの赤外線信号を受信する。通信部５０８は、ＬＡＮ接続端子である。
通信部５０８は、認証サーバ装置７００の通信部７０８（詳細後述）とネットワーク接続する。メモリ５０９は、半導体メモリや磁気メモリである。
【００３４】
専用プログラムは、ＩＣカード認証情報要求手段５１０と、ＩＣカード認証情報受信手段５２０と、携帯認証情報要求手段５３０と、携帯認証情報受信手段５４０と、認証情報送信手段５５０と、認証結果受信手段５６０と二次元コード読取手段５７０とから構成される。
【００３５】
ＩＣカード認証情報要求手段５１０は、ＩＣカード３００にＩＣカード認証情報を要求する。ＩＣカード認証情報受信手段５２０は、ＩＣカード３００が返信したＩＣカード認証情報３９１を受信する。
【００３６】
携帯認証情報要求手段５３０は、携帯端末装置１００に携帯認証情報を要求する。携帯認証情報受信手段５４０は、携帯端末装置１００から携帯認証情報１９５を受信する。
【００３７】
二次元コード復号手段５７０は、メモリ５０９に保持された二次元コード画像を読み取って、携帯認証情報１９５を復号する。
【００３８】
認証情報送信手段５５０は、前記受信したＩＣカード認証情報３９１と携帯認証情報１９５とを認証サーバ装置７００に送信する。認証結果受信手段５６０は、認証サーバ装置７００が送信した認証結果を受信する。
【００３９】
ＩＣカード認証情報要求手段５１０と、ＩＣカード認証情報受信手段５２０と、携帯認証情報要求手段５３０と、携帯認証情報受信手段５４０と、認証情報送信手段５５０と、認証結果受信手段５６０と、二次元コード復号手段５７０は、コンピュータプログラムである。
【００４０】
なお、デジタルカメラ５０２と二次元コード復号手段５７０は、備えていなくてもよい。
【００４１】
図６は、認証サーバ装置７００の詳細な構成図である。
前記認証サーバ装置７００は、ＣＰＵ７０１と、通信部７０８と、メモリ７０９と、専用プログラムとを備える。
通信部７０８は、ＬＡＮ接続端子である。通信部７０８は、利用端末装置５００の通信部５０８とネットワーク接続して通信する。
メモリ７０９は、半導体メモリや磁気メモリである。メモリ７０９は、サーバ認証情報７９７を記憶する。
【００４２】
専用プログラムは、認証手段７２０と、認証結果送信手段７３０とから構成される。
【００４３】
認証手段７２０は、利用端末装置５００が送信したＩＣカード認証情報３９１と携帯認証情報１９５とを受信して、サーバ認証情報７９７を参照して、認証する。
認証結果送信手段７３０は、認証結果を利用端末装置５００に送信する。
【００４４】
認証手段７２０と、認証結果送信手段７３０とは、コンピュータプログラムである。
【００４５】
（実施例）
次に、電子メールを用いて本人認証する実施例について説明する。
【００４６】
図７は、本発明による電子メールを用いた本人認証システム２の概要を説明する図である。
電子メールを用いた本人認証システム２は、携帯端末装置１００（＝携帯電話）と、利用端末装置５００と、認証サーバ装置７００がネットワークで接続されて構成される。
ネットワークは、携帯端末装置１００と無線接続するアンテナ９００を備えた携帯電話事業者のネットワークがゲートウェー８００を介してインターネット７００と接続されたネットワークである。
【００４７】
利用端末装置５００と認証サーバ装置７００の構成は、図１の利用端末装置５００と認証サーバ装置７００と同じである。
【００４８】
図８は、本発明による電子メールを用いた本人認証システム２の大まかな処理の流れを説明する図である。
図８の（１ａ）から（２ｂ）までは、図２の（１ａ）から（２ｂ）までと同じである。
【００４９】
ＩＣカード３００は送信完了通知と携帯端末装置の電子メールアドレスを利用端末装置５００に送信する(同（３ａ））。
利用端末装置５００はＩＣカード３００が送信した送信完了通知と携帯端末装置の電子メールアドレスを受信して、送信完了通知を含む電子メール作成して、携帯端末装置１００の電子メールアドレスに送信する(同（３ｂ））。
携帯端末装置１００は送信完了通知を含む電子メールを受信する(同（３ｃ））。
【００５０】
携帯端末装置１００は、携帯認証情報要求と送信完了通知が揃ったら、携帯認証情報１９５を利用端末装置５００に送信する（同（４ａ））。
利用端末装置５００は、携帯端末装置１００が返信した端末認証情報を受信する（同（４ｂ））。
【００５１】
（５ａ）から（５ｃ）までは、図２の（５ａ）から（５ｃ）までと同じである。
【００５２】
以上詳しく説明したように、本願発明によれば、携帯端末装置とＩＣカードとから認証情報を受け取ることによって、信頼性が高い本人認証をすることが可能となった。
【図面の簡単な説明】
【００５３】
【図１】本発明によるＩＣカードを有する携帯端末装置を用いる本人認証システムの概要
【図２】本発明による携帯端末装置とＩＣカードを用いる本人認証システム１の大まかな処理の流れを説明する図
【図３】携帯端末装置１００の詳細な構成図
【図４】ＩＣカード３００の詳細な構成図
【図５】利用端末装置５００の詳細な構成図
【図６】認証サーバ装置７００の詳細な構成図
【図７】本発明による電子メールを用いた本人認証システム２の概要を説明する図
【図８】本発明による電子メールを用いた本人認証システム２の大まかな処理の流れを説明する図
【符号の説明】
【００５４】
１  本人認証システム
１００  携帯端末装置
１０９  メモリ
１１０  携帯認証情報要求受信手段
１２０  認証情報返信手段
１３０  完了通知受信手段
１４０  二次元コード表示手段
１９５  携帯認証情報
３００  ＩＣカード
３０９  メモリ
３１０  認証情報返信手段
３２０  完了通知送信手段
３９１  ＩＣカード認証情報
５００  利用端末装置
５０２  デジタルカメラ
５０９  メモリ
５１０  ＩＣカード認証情報要求手段
５２０  ＩＣカード認証情報受信手段
５３０  携帯認証情報要求手段
５４０  携帯認証情報受信手段
５５０  認証情報送信手段
５６０  認証結果受信手段
５７０  二次元コード読取手段
７００  認証サーバ装置
７０９  メモリ
７２０  認証手段
７３０  認証結果送信手段
７９７  サーバ認証情報
【図１】
2008244948.tif 000003
【図２】
2008244948.tif 000004
【図３】
2008244948.tif 000005
【図４】
2008244948.tif 000006
【図５】
2008244948.tif 000007
【図６】
2008244948.tif 000008
【図７】
2008244948.tif 000009
【図８】
2008244948.tif 000010